(57)【要約】      （修正有）【課題】内開き障子において、小さな開き角度で停止保持させたり、内側からの操作や外側からの操作によって簡単に全開させたりできる開度設定装置を提供する。【解決手段】障子２の内方側へ取り付けるアーム受け器３と障子枠４に取り付けるアーム保持器５とを有し、アーム保持器５には、アーム支軸１２とアーム支軸１２を支点として揺動自在に保持される開度制限アーム１３とが設け、アーム受け器３には、アーム支軸１２に平行な遊嵌支軸１０と開度制限アーム１３に摺動自在に外嵌可能で遊嵌支軸１０の軸心まわりで回転自在に保持される遊嵌部とを設けた構成とした。【選択図】図４
2018168549.tif 000002
【特許請求の範囲】
【請求項１】
片持ち状態で内開き方向に開閉揺動自在に保持される障子に対してその内方側へ取り付けるアーム受け器と、
前記障子を取り囲んでその開閉揺動を保持する障子枠に対して前記アーム受け器に関連させた配置で取り付けるアーム保持器と、を有し、
前記アーム保持器には、アーム支軸と、このアーム支軸を支点として揺動自在に保持される開度制限アームと、が設けられ、
前記アーム受け器には、前記アーム支軸に軸心を平行させた遊嵌支軸と、前記開度制限アームに摺動自在に外嵌する環形状に形成され且つこの環形状の向きが前記遊嵌支軸の軸心まわりで回転自在に保持される遊嵌部と、が設けられていることを特徴とする内開き障子の開度設定装置。
【請求項２】
前記アーム受け器には、
前記遊嵌支軸の軸方向に沿って移動自在に保持されるロック軸と、
前記遊嵌部に嵌合された前記開度制限アームに対して前記ロック軸を係合状態又は非係合状態に軸移動させるロック操作部と、を有するロック機構が設けられている
ことを特徴とする請求項１記載の内開き障子の開度設定装置。
【請求項３】
前記遊嵌支軸は中空軸に形成されており、
前記遊嵌支軸の中空部に前記ロック軸が同軸で挿通されて摺動自在となっていることを特徴とする請求項２記載の内開き障子の開度設定装置。
【請求項４】
前記遊嵌支軸の中空部には中空のストッパ軸が挿通されて当該ストッパ軸の中空部に前記ロック軸が挿通されることで前記遊嵌支軸、前記ストッパ軸及び前記ロック軸が同軸に配置されており、
前記ストッパ軸は前記遊嵌支軸内を摺動することで前記遊嵌部に対する前記開度制限アームの脱出を阻止する抜け止め状態と脱出を許容する解放状態とに切り替え可能になっていることを特徴とする請求項３記載の内開き障子の開度設定装置。
【請求項５】
前記ロック機構には、
前記障子の外方側から前記ロック軸の軸移動を離隔操作可能にするための外部入力部が設けられていると共に、
前記外部入力部に接続可能とされる操作ハンドルが付属されており、
前記外部入力部には角穴が設けられており、
前記操作ハンドルの伝動軸には、前記外部入力部の角穴内に生じている周方向の内隅部に係合して相対回転不能に嵌合する継ぎ手端が設けられており、
前記継ぎ手端は前記外部入力部の角穴内で連結角度を変更自在とする玉形に形成されている
ことを特徴とする請求項２乃至請求項４のいずれか１項に記載の内開き障子の開度設定装置。
【発明の詳細な説明】
【技術分野】
【０００１】
本発明は、内開きタイプの障子（窓などの面材）を小さな開き角度で停止保持させたり、内側からの操作や外側からの操作によって簡単に全開させたりできるようにした内開き障子の開度設定装置に関する。
【背景技術】
【０００２】
本出願人は、嘗て、開き窓に設ける開放角度調整器を開発し、特許出願して特許されている（特許文献１参照）。
この先願の開放角度調整器（以下、「先願調整器」と言う）は、窓枠に設ける伸縮自在な揺動アームと、窓に設ける調整器本体とを有したもので、揺動アームの揺動側の先端部を調整器本体に接続して、窓の揺動に伴い揺動アームが伸縮するようにしてあった。
【０００３】
そして窓の通常開閉時には、揺動アームの伸縮部分に設けたストッパ機構を作動させて窓の開き角度を制限するようにし、窓拭きなどのメンテナンス時には窓の内側に設けた内側ハンドルを操作することで揺動アームと調整器本体との接続を解除させ、また火災などの非常時には窓の外側に設けた外側ハンドルを操作することで揺動アームと調整器本体との接続を解除させることにより、窓を全開にできる仕様となっていた。
【０００４】
なお、内側ハンドルと外側ハンドルとは直接的な連動関係には設けておらず、それぞれカム機構を介して調整器本体側へ接続解除のための駆動を伝える構造となっていたので、殊に内側ハンドルの軽快操作が可能となる利点を有したものとしてあった。
【先行技術文献】
【特許文献】
【０００５】
【特許文献１】特許第５３５５４９０号公報
【発明の概要】
【発明が解決しようとする課題】
【０００６】
多くの場合、ビルなどの高層建物に備えられる揺動式の窓は、外開きタイプとするのが一般的とされている。そのため、先願調整器は、主に、外開き窓に対して取り付けることを考慮したものであった。
しかしながら、隣接する構築物との間隔が狭い高層建物では、どうしても窓を外開きにはできず、窓を内開きにせざるを得ない。そこで、先願調整器を内開きの窓に対しても取り付けることが必要になった。
【０００７】
ところが、内開きの窓の場合、窓を内側へ開く過程で、窓が揺動アームの上方を通過するようになる。これにより、揺動アームの伸縮部分に設けたストッパ機構が窓の下に隠れたり、窓が乗り越して窓よりも外側の配置となる。そのため、窓の内側からは手が届かなくなったりすることがあり、これらの場合にはストッパ機構の操作ができないことになる。
【０００８】
このことが原因で、先願調整器をそのまま内開きの窓で採用することはできない場合があった。
本発明は、上記事情に鑑みてなされたものであって、内開き窓などの内開きタイプとされた障子において、小さな開き角度で停止保持させたり、内側からの操作や外側からの操作によって簡単に全開させたりできるようにした内開き障子の開度設定装置を提供することを目的とする。
【課題を解決するための手段】
【０００９】
前記目的を達成するために、本発明は次の手段を講じた。
即ち、本発明に係る内開き障子の開度設定装置は、片持ち状態で内開き方向に開閉揺動自在に保持される障子に対してその内方側へ取り付けるアーム受け器と、前記障子を取り囲んでその開閉揺動を保持する障子枠に対して前記アーム受け器に関連させた配置で取り付けるアーム保持器と、を有し、前記アーム保持器には、アーム支軸と、このアーム支軸を支点として揺動自在に保持される開度制限アームと、が設けられ、前記アーム受け器には、前記アーム支軸に軸心を平行させた遊嵌支軸と、前記開度制限アームに摺動自在に外
嵌する環形状に形成され且つこの環形状の向きが前記遊嵌支軸の軸心まわりで回転自在に保持される遊嵌部と、が設けられていることを特徴とする。
【００１０】
前記アーム受け器には、前記遊嵌支軸の軸方向に沿って移動自在に保持されるロック軸と、前記遊嵌部に嵌合された前記開度制限アームに対して前記ロック軸を係合状態又は非係合状態に軸移動させるロック操作部と、を有するロック機構が設けられたものとするのが好適である。
前記遊嵌支軸は中空軸に形成されており、前記遊嵌支軸の中空部に前記ロック軸が同軸で挿通されて摺動自在となっている構成を採用してもよい。
【００１１】
更に、前記遊嵌支軸の中空部には中空のストッパ軸が挿通されて当該ストッパ軸の中空部に前記ロック軸が挿通されることで前記遊嵌支軸、前記ストッパ軸及び前記ロック軸が同軸に配置されており、前記ストッパ軸は遊嵌支軸内を摺動することで前記遊嵌部に対する前記開度制限アームの脱出を阻止する抜け止め状態と脱出を許容する解放状態とに切り替え可能になっている構成を追加することも可能である。
【００１２】
前記ロック機構には、前記障子の外方側から前記ロック軸の軸移動を離隔操作可能にするための外部入力部が設けられていると共に、前記外部入力部に接続可能とされる操作ハンドルが付属されており、前記外部入力部には角穴が設けられており、前記操作ハンドルの伝動軸には、前記外部入力部の角穴内に生じている周方向の内隅部に係合して相対回転不能に嵌合する継ぎ手端が設けられており、前記継ぎ手端は前記外部入力部の角穴内で連結角度を変更自在とする玉形に形成されているものとしてもよい。
【発明の効果】
【００１３】
本発明に係る内開き障子の開度設定装置は、内開き窓などの内開きタイプとされた障子において、小さな開き角度で停止保持させたり、内側からの操作や外側からの操作によって簡単に全開させたりできるようになっている。
【図面の簡単な説明】
【００１４】
【図１】本発明に係る開度設定装置を示した平面図である。
【図２】本発明に係る開度設定装置を示した正面図である。
【図３】本発明に係る開度設定装置を示した側面図（図４のＡ−Ａ線矢視図に相当）である。
【図４】本発明に係る開度設定装置を内開きタイプの障子に装着した状態を示した平面図である。
【図５】本発明に係る開度設定装置を示しており（ａ）は図２のＢ−Ｂ線断面図であり（ｂ）は図１のＣ−Ｃ線断面図であり（ｃ）は図２のＤ−Ｄ線断面図である。
【図６】アーム保持器の開度制限アームとアーム受け器の遊嵌部との嵌合関係を理解し易いように示した斜視図である。
【図７】アーム受け器が備える器具本体の内部構造（ロック機構）を理解し易いように示した分解斜視図である。
【図８】開度制限アームの取付角度を逆向きにした態様を示した平面図である。
【図９】本発明に係る開度設定装置を縦使いにする場合を示した平面図である。
【発明を実施するための形態】
【００１５】
以下、本発明の実施の形態を、図面に基づき説明する。
図１乃至図７は、本発明に係る開度設定装置１（以下、「本発明装置１」と言う）の第１実施形態を示している。このうち図４は、本発明装置１を内開きタイプの障子２に装着した状態を示した平面図であって、障子２の下方を内側（開閉のための揺動を行わせる側：例えば建物内部）とし、上方を外側（障子２を揺動によっては移動させない領域：例えば建物外部）としている。
【００１６】
この図４から明らかなように、本発明装置１は、障子２に対して取り付けるアーム受け器３と、障子２を取り囲んでその開閉揺動を保持する障子枠４に対して取り付けるアーム保持器５とを有している。
本発明装置１の一方の構成であるアーム受け器３には遊嵌支軸１０が設けられており、この遊嵌支軸１０の軸心まわりに遊嵌部１１（図２、図３等参照）が回転自在に保持され
ている。これに対し、本発明装置１の他方の構成であるアーム保持器５にはアーム支軸１２が設けられており、このアーム支軸１２の軸心まわりに開度制限アーム１３が揺動自在に保持されている。
【００１７】
そして本発明装置１は、これらアーム受け器３とアーム保持器５とを、障子２と障子枠４との間で振り分けるに際して、遊嵌支軸１０とアーム支軸１２との軸心が互いに平行するように関連付けさせるものとする。
なお、図４では、動作軸を鉛直方向へ向けた蝶番１５により障子２が障子枠４に取り付けられたものとしてあり、障子２が鉛直方向の軸回りに揺動支持されたものを例示している。すなわち、障子２は、いわゆる「横開きタイプ」とされている。
【００１８】
ただ、障子２は水平方向の軸回りに揺動支持すること（いわゆる「縦開きタイプ」とすること）も可能であるし、また蝶番１５ではなく、辷り出し装置（図示略）によって揺動支持されるものとしてもよい。
まず、アーム保持器５について説明する。
このアーム保持器５（図１〜図３及び図６参照）は、前記したようにアーム支軸１２及び開度制限アーム１３を有しているのに加え、アーム支軸１２を障子枠４の内面側に取り付けて開度制限アーム１３の揺動が障子枠４の内方側で行われるようにするための取付ブラケット１７を有している。
【００１９】
本第１実施形態は障子２が横開きタイプなので、アーム支軸１２は障子２の揺動軸（蝶番１５の動作軸）と平行するようにその軸心を鉛直方向に向けてあり、したがって開度制限アーム１３は水平揺動するものとしてある。
また、障子枠４の内方側（図３の右側）で障子２を開閉させると、障子枠４の下枠４ａ上を障子２が通過することになる。これに対応させるため、アーム支軸１２及び開度制限アーム１３は、障子２の下端よりも低位となるように配置させて障子２との接触干渉を避けてある。
【００２０】
開度制限アーム１３は、長さの固定された（非伸縮性の）ものであって、帯条材により形成したり中実又は中空の棒材により形成したりすることができる。本第１実施形態では帯条材を採用し、帯平面（長方形断面の長辺側）が上下面となり、厚さ方向面（長方形断面の短辺側）が起立した側面となるように用いてある。
この開度制限アーム１３には、アーム長手方向の揺動側端部に上方へ突出する抜け止め突起１８が設けられている。この抜け止め突起１８の作用については後述する。
【００２１】
また、この開度制限アーム１３におけるアーム長手方向の中途部には、少なくとも１個のロック係合部１９が設けられている。このロック係合部１９は、本第１実施形態では円形開口の貫通孔としているが、角形の開口形状を採用してもよいし、開口を上に向けた非貫通の凹部としてもよい。このロック係合部１９の作用についても後述する。
なお、本第１実施形態では、開度制限アーム１３におけるアーム長手方向の基端部にアーム支軸１２を挿通させる軸孔を設けて、開度制限アーム１３とアーム支軸１２との間を回転自在としている。しかし、開度制限アーム１３とアーム支軸１２を固定したうえで、取付ブラケット１７とアーム支軸１２との間を回転自在に保持させるような構造を採用することも可能である。
【００２２】
取付ブラケット１７の具体的な構造については、取付相手となる障子枠４の構造に合わせて適宜変更可能である。本第１実施形態で例示した障子枠４（図３参照）では、下枠４ａの内方側に水平なレール桟４ｂが付設されたものとしたので、取付ブラケット１７はこのレール桟４ｂ上にネジ止め可能な平板状のものとした。この他、取付ブラケット１７には、Ｌ型アングル材を用いたものやクランプ構造を備えたものなどを採用することもできる。
【００２３】
次に、アーム受け器３について説明する。
このアーム受け器３（図１乃至図３参照）は、器具本体２５と、この器具本体２５を障子２の内方側面に取り付けるための取付ブラケット２６と、を有したものであって、器具本体２５に、前記した遊嵌支軸１０（図４、図５等参照）及び遊嵌部１１が設けられている。
【００２４】
本第１実施形態は障子２が横開きタイプなので、遊嵌支軸１０は、アーム保持器５のアーム支軸１２と同様にその軸心を鉛直方向へ向けるものとされる。
取付ブラケット２６については、遊嵌部１１をアーム保持器５の開度制限アーム１３に対して嵌合可能な配置にできる点（障子２の下框２ａに取付可能にする点）を満たせば、殊更、構造的に限定されるわけではない。本第１実施形態では板素材をＬ形に折り曲げたものを採用して、立ち上がり片２６ａに取付孔２７を設け、水平片２６ｂによって器具本体２５を支持するようにしている。
【００２５】
図５（ｂ）（ｃ）及び図６に示すように、遊嵌支軸１０は、その上部軸端が器具本体２５の底部を貫通して器具内へ入り込む配置として設けられており、この遊嵌支軸１０の下端部（器具本体２５の下方）に遊嵌部１１が保持されている。
遊嵌支軸１０には器具本体２５の器具内でナット等の抜け止め具２８が嵌め付けられることにより、器具本体２５に対する回転自在な状態が保持されると共に、器具本体２５からの脱落が防止されるようになっている。
【００２６】
本第１実施形態では遊嵌支軸１０と遊嵌部１１とが一体形成されて、これらが一緒に器具本体２５に対して回転自在とされる構造を示してある。しかしこれに限らず、遊嵌支軸１０と遊嵌部１１とを別体で形成してもよく、別体とする場合には遊嵌支軸１０と遊嵌部１１との相互間で回転自在にする構造を採用することもできる。
遊嵌部１１の保持高さは、アーム保持器５の開度制限アーム１３と同じ高さとなるようにするが、これに伴い、遊嵌部１１は障子２の下端より低くなる（図３参照）。ただ、障子２を開閉させるときも遊嵌部１１が障子枠４と接触干渉することはないので、遊嵌部１１における上記のような高さ方向の配置に関して何ら問題はない。
【００２７】
遊嵌部１１は開口２９を生じさせた環形状に形成されている。この開口２９内には、開度制限アーム１３が摺動自在となる状態で嵌合可能とされる。開度制限アーム１３は水平に設けられていることから、遊嵌部１１の開口２９は水平方向に貫通している。従って、遊嵌部１１が遊嵌支軸１０の軸心まわりで回転するときには環形状（開口２９）の向きが３６０°旋回することになる。
【００２８】
この遊嵌部１１の回転により、障子２を開閉させた際の開度制限アーム１３の水平揺動に合わせて開口２９が自在に旋回し、開度制限アーム１３との嵌合関係及び摺動関係を円滑に保持できるものである。
本第１実施形態では、アーム保持器５の開度制限アーム１３が断面長方形の帯条材により形成されたものとしてあることに伴い、遊嵌部１１の開口２９は、横長の長方形を基本形として形成されている。なお、開度制限アーム１３が丸棒材などにより形成されているのであれば、遊嵌部１１の開口２９も円形等とすればよい。
【００２９】
なお、本第１実施形態の遊嵌部１１では、開口２９の長辺中央部に上方へ凹んだ副開口３０が付加されることによって、開口２９が凸型の開口形状を呈したものとされている（図３参照）。この副開口３０の作用については後述する。
器具本体２５にはロック機構３２が内蔵されている（図５参照）。図７は、ロック機構３２を理解し易いように分解して示した斜視図である。この図７から明らかなように、ロック機構３２は、中空部を備えた筒状のストッパ軸３５に対して丸棒状のロック軸３６が挿通されることで二重軸状に構成される複合軸体３７を核にしたものである。
【００３０】
そして、このロック機構３２は、複合軸体３７のうち、ロック軸３６を動作させるためのロック操作部３８と、複合軸体３７のうち、ストッパ軸３５を動作させるための内部入力部３９及び外部入力部４０とを有している。
まず複合軸体３７について説明する。この複合軸体３７は、ベース板部４２と起立板部４３とを有してＬ型に形成された連動体４４に対して、ベース板部４２をストッパ軸３５が突き抜ける状態となるようにして、溶接などにより固着されたものとなっている。
【００３１】
連動体４４のベース板部４２は、内方側へ向けられる先端部が幅広に拡大されており、この先端部下面が内部入力部３９からの操作力を受ける「内操作カム面」として作用する。また連動体４４の起立板部４３には、外方側へ向けられる側面にカム片４５が背負わされており、このカム片４５の下面が外部入力部４０からの操作力を受ける「外操作カム面
」として作用する。
【００３２】
ストッパ軸３５の中空部は、上部側に形成された大径部３５ａと下部側に形成された小径部３５ｂとが相互連通して成る段付き孔構造とされている。これに対してロック軸３６は、ストッパ軸３５の大径部３５ａに嵌合可能な同等径のスライドガイド部３６ａと、ストッパ軸３５の小径部３５ｂに嵌合可能な同等径の先端部３６ｂと、を有する段付き軸構造になっている。
【００３３】
このようなロック軸３６は、スライドガイド部３６ａがストッパ軸３５の大径部３５ａ内をガイドされつつ摺動することにより、先端部３６ｂがストッパ軸３５の小径部３５ｂから出たり入ったりするようになっている。
なお、スライドガイド部３６ａが大径部３５ａと小径部３５ｂとの間の段差部に係合することで、ロック軸３６はそれより下方への摺動ストロークが制限されることになる。このときロック軸３６の先端部３６ｂはストッパ軸３５の下端から下方へ突出するように設定されている。
【００３４】
一方で、スライドガイド部３６ａが大径部３５ａから上方脱出しない範囲でロック軸３６を引き上げることにより、ロック軸３６の先端部３６ｂをストッパ軸３５の下端から突出しない状態に収納することができるようになっている。
次にロック操作部３８について説明する。このロック操作部３８は、ロック軸３６に対し、スライドガイド部３６ａから先端部３６ｂとは軸方向の反対側（図７の上方）へ延びる操作杆部３６ｃが設けられていることにより構成されている。
【００３５】
操作杆部３６ｃは器具本体２５の上部を突き抜けて上方へ突出しており、器具本体２５を突き抜けた操作杆部３６ｃの上端部に、操作の容易さを考慮して円盤形の操作端４６が設けられている。
操作杆部３６ｃは、スライドガイド部３６ａと同径に形成することもできるが、ストッパ軸３５に対するロック軸３６の摺動抵抗を可及的に小さく抑える意味で、スライドガイド部３６ａよりも径小に形成するのが好ましい。
【００３６】
これらに加えて、本第１実施形態では、図５（ｂ）及び（ｃ）に示すように、アーム受け器３の遊嵌支軸１０を中空軸に形成してあると共に、この中空部が遊嵌部１１の副開口３０及び開口２９内へも連通するようにしてある。
そして、遊嵌支軸１０の中空部内に複合軸体３７を挿通させてある。すなわち、複合軸体３７のストッパ軸３５及びロック軸３６は、遊嵌支軸１０に対してそれぞれ同軸の関係を保持しつつ各別に軸方向移動（摺動）すると共に、ストッパ軸３５と遊嵌支軸１０との間が相対回転するようになっている。
【００３７】
またストッパ軸３５は、最も下降したときの軸下端が、遊嵌部１１の副開口３０内へは突き出すが、開口２９内までには及ばない配置となるように設定してある。
このようなロック操作部３８では、操作端４６を引き上げ操作しない限り、ロック軸３６はストッパ軸３５内で下降した状態が保持されることになる。そのため、遊嵌部１１に嵌合された開度制限アーム１３（図６参照）に対して、その上面にロック軸３６の先端部３６ｂが乗る状態になる。
【００３８】
そして、遊嵌部１１内を開度制限アーム１３が摺動するとき（すなわち、障子２が開閉動作されたとき）には、ロック軸３６の先端部３６ｂに対して開度制限アーム１３に設けられたロック係合部１９が合致することがあり、この合致時にはロック軸３６の先端部３６ｂがロック係合部１９に係合する（嵌り込む）ようになる。
これにより、開度制限アーム１３は遊嵌部１１内を摺動することができなくなるので、障子２は開閉動しない状態にロックされる。このとき、障子２が少しだけ開放された状態となるように設定しておけばよい（１００ｍｍ程度の開度とするのが好適である）。
【００３９】
一方で、操作端４６を引き上げ操作してロック軸３６を上昇させると、ロック軸３６の先端部３６はストッパ軸３５の下端から突出しない状態に収納される。そのため、ロック軸３６の先端部３６ｂが開度制限アーム１３のロック係合部１９に係合していたときであっても、ロック係合部１９からロック軸３６の先端部３６ｂは確実に引き抜かれて非接触状態になる。
【００４０】
これにより、開度制限アーム１３は遊嵌部１１内を摺動自在な状態へと解放されることになり、障子２を自由に開閉させることができる。
しかし、前記したようにストッパ軸３５の軸下端は遊嵌部１１の副開口３０内へ突き出しているので、障子２をそれ以上、開かせようとしても、ストッパ軸３５の軸下端に開度制限アーム１３の抜け止め突起１８（図６参照）が係合して、開度制限アーム１３が遊嵌部１１から脱出することはない。
【００４１】
従って、ロック軸３６の先端部３６ｂと開度制限アーム１３のロック係合部１９との係合が解除されているとはいえ、障子２が過度に開度を広げるようにはならない。ましてや、障子２が全開にされることも決してない。
このように、ロック操作部３８は、ロック軸３６を遊嵌部１１に嵌合された開度制限アーム１３に対して係合状態にするか、又は非係合状態にするか（要するに、障子２を設定された小開度状態と全閉状態との間で開閉自在にするか、或いは設定された小開度状態にロックするか）について、切り替え可能なものとなっている。
【００４２】
なお、本第１実施形態では、ロック操作部３８による操作が軽快に行え、しかも繰り返し使用が確実に行えるようにするために、次の措置を採用した。
すなわち、図５（ｂ）及び（ｃ）に示すように、ロック軸３６には、操作杆部３６ｃ（図７参照）の部分に第１バネ４７を外挿してある。この第１バネ４７は、スライドガイド部３６ａ（図７参照）と器具本体２５の内部天井との上下間で弾発力を強めた状態に圧縮させてある。そのため、ロック軸３６は、そのスライドガイド部３６ａがストッパ軸３５の大径部３５ａと小径部３５ｂとの間の段差部に係合し、ロック軸３６の軸下端がストッパ軸３５の下端から突出する状態が付勢されるようになっている。
【００４３】
また遊嵌支軸１０には、器具本体２５内へ突き出した部分に第２バネ４８を外挿してある。この第２バネ４８は、器具本体２５の底部（遊嵌支軸１０の抜け止め具２８）と連動体４４のベース板部４２との上下間で弾発力を強めた状態に圧縮させてある。そのため、連動体４４は、ストッパ軸３５と共に押し上げ付勢されるようになっている。
次に、内部入力部３９について説明する。この内部入力部３９は、図７に示すように、ストッパ軸３５と一体に固着された連動体４４のベース板部４２に対し、その下面に前方カム５２が当接するように設けられていることにより構成されている。
【００４４】
前方カム５２は、９０°の回転により、連動体４４のベース板部４２を押し上げたり、押し上げ前の高さ位置に戻したりするように設定されている。連動体４４のベース板部４２を押し上げた際には、一緒に上昇するストッパ軸３５の軸下端が、遊嵌部１１内に嵌合した開度制限アーム１３の抜け止め突起１８（図６参照）と係合しない高さへと退避させることができる。これにより、開度制限アーム１３を遊嵌部１１から脱出させることができ、障子２を、小開度を超えて全開させることができる。
【００４５】
この前方カム５２には、障子２の内方側へ向けられるボス部５３が設けられており、このボス部５３に、操作ハンドル５４のハンドル軸先端部と係合する伝動孔５５が形成されている。
従って、伝動孔５５に操作ハンドル５４のハンドル軸先端部を係合させ、この操作ハンドル５４を回転操作することで、前方カム５２を回転させ、連動体４４と共にストッパ軸３５を上下動させることができる。
【００４６】
なお、このような障子２の全開は、障子２の外面の窓ふきやメンテナンスを行う際に必要とされるものであって、元来、日常的な使用を目的にしたものではない。そこで、本第１実施形態では、器具本体２５の内方を向く面に、必要に応じて簡単に剥ぎ取りできるようにした樹脂製の保護カバー５８を取り付け、操作ハンドル５４を覆ってある。
この保護カバー５８は、半透明や着色透明としておき、カバー内に操作ハンドル５４が格納されている状況を外から視認できるようにしておくのが好適である。
【００４７】
また、操作ハンドル５４の頭部面にも、伝動孔５５と同じ形状、大きさの第２伝動孔５９を設けておき、保護カバー５８にはこの第２伝動孔５９に対応する部分に切り欠きを形成させて、カバー外から第２伝動孔５９が露出するようにしてある。
これにより、第２伝動孔５９に対応した六角レンチなどの専用工具を所持する作業者の
みが、内部入力部３９を操作できるようになる。しかも、いちいち保護カバー５８を剥ぎ取ったり取り外したりする必要がなく、迅速に操作が行えて至便となる。
【００４８】
このように、内部入力部３９は、ストッパ軸３５を、遊嵌部１１に嵌合された開度制限アーム１３の抜け止め具１８に係合させる状態（遊嵌部１１からの開度制限アーム１３の脱出を阻止する抜け止め状態）と、ストッパ軸３５を、遊嵌部１１に嵌合された開度制限アーム１３の抜け止め具１８に係合させない状態（遊嵌部１１から開度制限アーム１３の脱出を許容する解放状態）とを、切り替え可能なものとなっている。要するに、障子２の開放動作を、小開度までで制限するか或いは全開にさせるかの切り替えができる。
【００４９】
次に、外部入力部４０について説明する。この外部入力部４０は、ストッパ軸３５と一体に固着された連動体４４のカム片４５に対し、その下面に後方カム６０が当接するように設けられていることにより構成されている。
後方カム６０は、９０°の回転により、連動体４４のカム片４５を押し上げたり、押し上げ前の高さ位置に戻したりするように設定されている。カム片４５を押し上げた際には、連動体４４と一緒に上昇するストッパ軸３５の軸下端が、遊嵌部１１内に嵌合した開度制限アーム１３の抜け止め突起１８（図６参照）と係合しない高さへと退避させることができる。
【００５０】
すなわち、内部入力部３９の場合と同様に、開度制限アーム１３を遊嵌部１１から脱出させることができ、障子２を、小開度を超えて全開させることができる。
この後方カム６０でも、障子２の外方側へ向けられるボス部６１が設けられており、このボス部６１に、操作ハンドル６２のハンドル軸先端部と係合する伝動孔６３が形成されている。
【００５１】
従って、伝動孔６３に操作ハンドル６２のハンドル軸先端部を係合させ、この操作ハンドル６２を回転操作することで、障子２の外方側からの離隔操作によって後方カム６０を回転させ、連動体４４と共にストッパ軸３５を上下動させることができる。
なお、外部入力部４０は、障子２の外方（例えば建物の外）へ向けて設けられるものであって、障子２をよほど大きく開放させない限り、障子２の内方側からこの外部入力部４０を操作することはできない。
【００５２】
すなわち、この外部入力部４０を操作できるのは、非常時の救助作業者や、建物の外装工事業者、メンテナンス作業者など、障子２に対してその外方側から近寄ることができる者に限られる。そのため、本来ならば、操作ハンドル６２と後方カム６０とは一体的に連結する構造とすればよい。
しかしながら、外部入力部４０（後方カム６０）と操作ハンドル６２との間には障子２の厚さに相当する距離が介在する（図３参照）。そのため、このことに起因して、障子２の形体や障子枠４の形体などの諸事情との関係で、後方カム６０の伝動孔６３と操作ハンドル６２のハンドル軸との軸心に上下方向や左右方向のズレが生じ、両者の軸心を一直線に連結できないような場合も、ごく稀ではあるが発生するおそれがある。
【００５３】
そこで、このような場合に対処するため、後方カム６０の伝動孔６３を正六角形などの角穴とし、操作ハンドル６２のハンドル軸先端部には、伝動孔６３（角穴）内に生じている周方向の内隅部に係合して相対回転不能に嵌合する継ぎ手端６６を設けるようにするのが好適である。
この場合、継ぎ手端６６は、ハンドル軸の先端部からその直径に略等しい長さ位置に軸周りを一周するくびれを設けて、玉形に形成されたものとしておく。このようにすることで、外部入力部４０の伝動孔６３（角穴）内での継ぎ手端６６の連結角度を自在に変更できることになる、そのため、後方カム６０の伝動孔６３と操作ハンドル６２のハンドル軸との軸心にズレが生じていた場合でも、両者の連結が可能となる。
【００５４】
以上、詳述したところから明らかなように、本発明装置１では、アーム受け器３が備える遊嵌部１１を回転自在に保持させてある。そのため、この遊嵌部１１の回転により、障子２を開閉させた際の開度制限アーム１３の水平揺動に合わせて開口２９が自在に旋回し、開度制限アーム１３との嵌合関係及び摺動関係を円滑に保持できるものであり、また同時に、開度制限アーム１３についてはシングルアームとして簡潔構造を採用できる（複数
本の折れ曲がりリンク構造にする必要がない）ものである。
【００５５】
要するに、これらによって本発明装置１は、内開き窓などの内開きタイプとされた障子２への実施が可能になっている。
また、アーム受け器３に対してロック操作部３８を設けて、開度制限アーム１３のロック係合部１９に対するロック軸３６の係合状態と非係合状態とを切り替え操作できるようにしている。このようなことから、本発明装置１は、内開き窓などの内開きタイプとされた障子２へ実施した際においても、内開きタイプの障子２を小さな開き角度で停止保持させたり、内側からの操作や外側からの操作によって簡単に全開させたりできる。
【００５６】
なお、障子２を全開させるに際して、内部入力部３９の操作によりストッパ軸３５を軸移動させるときと、外部入力部４０の操作によりストッパ軸３５を軸移動させるときとでは、連動体４４を前方カム５２で動作させるか又は後方カム６０で動作させるかの選択になっている。
そのため、本発明装置１でも、先願調整器（特許文献１のもの）と同様に、内部入力部３９と外部入力部４０との間で伝動系の縁が切れた構成であり、いずれの操作も軽快に行えるという利点がある。
【００５７】
ところで、本発明は、前記実施形態に限定されるものではなく、実施の形態に応じて適宜変更可能である。
例えば、本発明装置１は、図８に示すように、開度制限アーム１３の揺動が図４の場合とは左右反対になるようにしてアーム保持器５を配置することも可能である。
また本発明装置１は、遊嵌支軸１０及びアーム支軸１２が水平方向に向く状態として障子２と障子枠４との間に設けることで、図９に示すように、開度制限アーム１３を縦方向面に沿って揺動させること（いわゆる縦使いにすること）も可能である。この場合、アーム保持器５ではアーム支軸１２に対する開度制限アーム１３の揺れ角（支軸とアームとの交差角の変位量）にある程度のゆとりを持たせるようにし、またアーム受け器３では遊嵌部１１と開度制限アーム１３との嵌め合い関係にある程度のゆとりを持たせるようにするのが好適である。
【００５８】
開度制限アーム１３において、ロック係合部１９は２個以上設けてもよい。このようにすることで、障子２をロックする小開度位置を複数箇所に設定できることになる。
内部入力部３９や外部入力部４０によるストッパ軸３５の軸移動構造（障子２を全開させるために採用する伝動構造）は、カム機構を採用するものに限定されるものではなく、例えば歯車機構（ラック歯を用いるものを含む）やリンク機構などを採用してもよい。
【００５９】
また、内部入力部３９と外部入力部４０との伝動系を縁切りする点についても、限定されるわけではない。
【符号の説明】
【００６０】
１  開度設定装置（本発明装置）
２  障子
２ａ  下框
３  アーム受け器
４  障子枠
４ａ  下枠
４ｂ  レール桟
５  アーム保持器
１０  遊嵌支軸
１１  遊嵌部
１２  アーム支軸
１３  開度制限アーム
１５  蝶番
１７  取付ブラケット
１８  抜け止め突起
１９  ロック係合部
２５  器具本体
２６  取付ブラケット
２６ａ  立ち上がり片
２６ｂ  水平片
２７  取付孔
２８  抜け止め具
２９  開口
３０  副開口
３２  ロック機構
３５  ストッパ軸
３５ａ  大径部
３５ｂ  小径部
３６  ロック軸
３６ａ スライドガイド部
３６ｂ  先端部
３６ｃ  操作杆部
３７  複合軸体
３８  ロック操作部
３９  内部入力部
４０  外部入力部
４２  ベース板部
４３  起立板部
４４  連動体
４５  カム片
４６  操作端
４７  第１バネ
４８  第２バネ
５２  前方カム
５３  ボス部
５４  操作ハンドル
５５  伝動孔
５８  保護カバー
５９  第２伝動孔
６０  後方カム
６１  ボス部
６２  操作ハンドル
６３  伝動孔
６６  継ぎ手端
【図１】
2018168549.tif 000003
【図２】
2018168549.tif 000004
【図３】
2018168549.tif 000005
【図４】
2018168549.tif 000006
【図５】
2018168549.tif 000007
【図６】
2018168549.tif 000008
【図７】
2018168549.tif 000009
【図８】
2018168549.tif 000010
【図９】
2018168549.tif 000011
【手続補正書】
【提出日】平成30年6月6日(2018.6.6)
【手続補正１】
【補正対象書類名】明細書
【補正対象項目名】全文
【補正方法】変更
【補正の内容】
【発明の詳細な説明】
【技術分野】
【０００１】
本発明は、内開きタイプの障子（窓などの面材）を小さな開き角度で停止保持させたり、内側からの操作や外側からの操作によって簡単に全開させたりできるようにした内開き障子の開度設定装置に関する。
【背景技術】
【０００２】
本出願人は、嘗て、開き窓に設ける開放角度調整器を開発し、特許出願して特許されている（特許文献１参照）。
この先願の開放角度調整器（以下、「先願調整器」と言う）は、窓枠に設ける伸縮自在な揺動アームと、窓に設ける調整器本体とを有したもので、揺動アームの揺動側の先端部を調整器本体に接続して、窓の揺動に伴い揺動アームが伸縮するようにしてあった。
【０００３】
そして窓の通常開閉時には、揺動アームの伸縮部分に設けたストッパ機構を作動させて窓の開き角度を制限するようにし、窓拭きなどのメンテナンス時には窓の内側に設けた内側ハンドルを操作することで揺動アームと調整器本体との接続を解除させ、また火災などの非常時には窓の外側に設けた外側ハンドルを操作することで揺動アームと調整器本体との接続を解除させることにより、窓を全開にできる仕様となっていた。
【０００４】
なお、内側ハンドルと外側ハンドルとは直接的な連動関係には設けておらず、それぞれカム機構を介して調整器本体側へ接続解除のための駆動を伝える構造となっていたので、殊に内側ハンドルの軽快操作が可能となる利点を有したものとしてあった。
【先行技術文献】
【特許文献】
【０００５】
【特許文献１】特許第５３５５４９０号公報
【発明の概要】
【発明が解決しようとする課題】
【０００６】
多くの場合、ビルなどの高層建物に備えられる揺動式の窓は、外開きタイプとするのが一般的とされている。そのため、先願調整器は、主に、外開き窓に対して取り付けることを考慮したものであった。
しかしながら、隣接する構築物との間隔が狭い高層建物では、どうしても窓を外開きにはできず、窓を内開きにせざるを得ない。そこで、先願調整器を内開きの窓に対しても取り付けることが必要になった。
【０００７】
ところが、内開きの窓の場合、窓を内側へ開く過程で、窓が揺動アームの上方を通過するようになる。これにより、揺動アームの伸縮部分に設けたストッパ機構が窓の下に隠れたり、窓が乗り越して窓よりも外側の配置となる。そのため、窓の内側からは手が届かなくなったりすることがあり、これらの場合にはストッパ機構の操作ができないことになる。
【０００８】
このことが原因で、先願調整器をそのまま内開きの窓で採用することはできない場合があった。
本発明は、上記事情に鑑みてなされたものであって、内開き窓などの内開きタイプとされた障子において、小さな開き角度で停止保持させたり、内側からの操作や外側からの操作によって簡単に全開させたりできるようにした内開き障子の開度設定装置を提供することを目的とする。
【課題を解決するための手段】
【０００９】
前記目的を達成するために、本発明は次の手段を講じた。
即ち、本発明に係る内開き障子の開度設定装置は、片持ち状態で内開き方向に開閉揺動自在に保持される障子に対してその内方側へ取り付けるアーム受け器と、前記障子を取り囲んでその開閉揺動を保持する障子枠に対して前記アーム受け器に関連させた配置で取り付けるアーム保持器と、を有し、前記アーム保持器には、アーム支軸と、このアーム支軸を支点として揺動自在に保持される開度制限アームと、が設けられ、前記アーム受け器には、前記アーム支軸に軸心を平行させた遊嵌支軸と、前記開度制限アームに摺動自在に外嵌する環形状に形成され且つこの環形状の向きが前記遊嵌支軸の軸心まわりで回転自在に保持される遊嵌部と、が設けられ、前記アーム受け器には、前記遊嵌支軸の軸方向に沿って移動自在に保持されるロック軸と、前記遊嵌部に嵌合された前記開度制限アームに対して前記ロック軸を係合状態又は非係合状態に軸移動させるロック操作部と、を有するロック機構が設けられ、前記遊嵌支軸は中空軸に形成されており、前記遊嵌支軸の中空部に前記ロック軸が同軸で挿通されて摺動自在となっており、前記遊嵌支軸の中空部には中空のストッパ軸が挿通されて当該ストッパ軸の中空部に前記ロック軸が挿通されることで前記遊嵌支軸、前記ストッパ軸及び前記ロック軸が同軸に配置されており、前記ストッパ軸は前記遊嵌支軸内を摺動することで前記遊嵌部に対する前記開度制限アームの脱出を阻止する抜け止め状態と脱出を許容する解放状態とに切り替え可能になっていることを特徴とする。
【００１０】
前記ロック機構には、前記障子の外方側から前記ロック軸の軸移動を離隔操作可能にするための外部入力部が設けられていると共に、前記外部入力部に接続可能とされる操作ハンドルが付属されており、前記外部入力部には角穴が設けられており、前記操作ハンドルの伝動軸には、前記外部入力部の角穴内に生じている周方向の内隅部に係合して相対回転不能に嵌合する継ぎ手端が設けられており、前記継ぎ手端は前記外部入力部の角穴内で連結角度を変更自在とする玉形に形成されているものとしてもよい。
【発明の効果】
【００１１】
本発明に係る内開き障子の開度設定装置は、内開き窓などの内開きタイプとされた障子において、小さな開き角度で停止保持させたり、内側からの操作や外側からの操作によって簡単に全開させたりできるようになっている。
【図面の簡単な説明】
【００１２】
【図１】本発明に係る開度設定装置を示した平面図である。
【図２】本発明に係る開度設定装置を示した正面図である。
【図３】本発明に係る開度設定装置を示した側面図（図４のＡ−Ａ線矢視図に相当）である。
【図４】本発明に係る開度設定装置を内開きタイプの障子に装着した状態を示した平面図である。
【図５】本発明に係る開度設定装置を示しており（ａ）は図２のＢ−Ｂ線断面図であり（ｂ）は図１のＣ−Ｃ線断面図であり（ｃ）は図２のＤ−Ｄ線断面図である。
【図６】アーム保持器の開度制限アームとアーム受け器の遊嵌部との嵌合関係を理解し易いように示した斜視図である。
【図７】アーム受け器が備える器具本体の内部構造（ロック機構）を理解し易いように示した分解斜視図である。
【図８】開度制限アームの取付角度を逆向きにした態様を示した平面図である。
【図９】本発明に係る開度設定装置を縦使いにする場合を示した平面図である。
【発明を実施するための形態】
【００１３】
以下、本発明の実施の形態を、図面に基づき説明する。
図１乃至図７は、本発明に係る開度設定装置１（以下、「本発明装置１」と言う）の第１実施形態を示している。このうち図４は、本発明装置１を内開きタイプの障子２に装着した状態を示した平面図であって、障子２の下方を内側（開閉のための揺動を行わせる側：例えば建物内部）とし、上方を外側（障子２を揺動によっては移動させない領域：例えば建物外部）としている。
【００１４】
この図４から明らかなように、本発明装置１は、障子２に対して取り付けるアーム受け器３と、障子２を取り囲んでその開閉揺動を保持する障子枠４に対して取り付けるアーム保持器５とを有している。
本発明装置１の一方の構成であるアーム受け器３には遊嵌支軸１０が設けられており、この遊嵌支軸１０の軸心まわりに遊嵌部１１（図２、図３等参照）が回転自在に保持されている。これに対し、本発明装置１の他方の構成であるアーム保持器５にはアーム支軸１２が設けられており、このアーム支軸１２の軸心まわりに開度制限アーム１３が揺動自在に保持されている。
【００１５】
そして本発明装置１は、これらアーム受け器３とアーム保持器５とを、障子２と障子枠４との間で振り分けるに際して、遊嵌支軸１０とアーム支軸１２との軸心が互いに平行するように関連付けさせるものとする。
なお、図４では、動作軸を鉛直方向へ向けた蝶番１５により障子２が障子枠４に取り付けられたものとしてあり、障子２が鉛直方向の軸回りに揺動支持されたものを例示している。すなわち、障子２は、いわゆる「横開きタイプ」とされている。
【００１６】
ただ、障子２は水平方向の軸回りに揺動支持すること（いわゆる「縦開きタイプ」とすること）も可能であるし、また蝶番１５ではなく、辷り出し装置（図示略）によって揺動支持されるものとしてもよい。
まず、アーム保持器５について説明する。
このアーム保持器５（図１〜図３及び図６参照）は、前記したようにアーム支軸１２及び開度制限アーム１３を有しているのに加え、アーム支軸１２を障子枠４の内面側に取り付けて開度制限アーム１３の揺動が障子枠４の内方側で行われるようにするための取付ブラケット１７を有している。
【００１７】
本第１実施形態は障子２が横開きタイプなので、アーム支軸１２は障子２の揺動軸（蝶番１５の動作軸）と平行するようにその軸心を鉛直方向に向けてあり、したがって開度制限アーム１３は水平揺動するものとしてある。
また、障子枠４の内方側（図３の右側）で障子２を開閉させると、障子枠４の下枠４ａ上を障子２が通過することになる。これに対応させるため、アーム支軸１２及び開度制限アーム１３は、障子２の下端よりも低位となるように配置させて障子２との接触干渉を避けてある。
【００１８】
開度制限アーム１３は、長さの固定された（非伸縮性の）ものであって、帯条材により形成したり中実又は中空の棒材により形成したりすることができる。本第１実施形態では帯条材を採用し、帯平面（長方形断面の長辺側）が上下面となり、厚さ方向面（長方形断面の短辺側）が起立した側面となるように用いてある。
この開度制限アーム１３には、アーム長手方向の揺動側端部に上方へ突出する抜け止め突起１８が設けられている。この抜け止め突起１８の作用については後述する。
【００１９】
また、この開度制限アーム１３におけるアーム長手方向の中途部には、少なくとも１個のロック係合部１９が設けられている。このロック係合部１９は、本第１実施形態では円形開口の貫通孔としているが、角形の開口形状を採用してもよいし、開口を上に向けた非
貫通の凹部としてもよい。このロック係合部１９の作用についても後述する。
なお、本第１実施形態では、開度制限アーム１３におけるアーム長手方向の基端部にアーム支軸１２を挿通させる軸孔を設けて、開度制限アーム１３とアーム支軸１２との間を回転自在としている。しかし、開度制限アーム１３とアーム支軸１２を固定したうえで、取付ブラケット１７とアーム支軸１２との間を回転自在に保持させるような構造を採用することも可能である。
【００２０】
取付ブラケット１７の具体的な構造については、取付相手となる障子枠４の構造に合わせて適宜変更可能である。本第１実施形態で例示した障子枠４（図３参照）では、下枠４ａの内方側に水平なレール桟４ｂが付設されたものとしたので、取付ブラケット１７はこのレール桟４ｂ上にネジ止め可能な平板状のものとした。この他、取付ブラケット１７には、Ｌ型アングル材を用いたものやクランプ構造を備えたものなどを採用することもできる。
【００２１】
次に、アーム受け器３について説明する。
このアーム受け器３（図１乃至図３参照）は、器具本体２５と、この器具本体２５を障子２の内方側面に取り付けるための取付ブラケット２６と、を有したものであって、器具本体２５に、前記した遊嵌支軸１０（図４、図５等参照）及び遊嵌部１１が設けられている。
【００２２】
本第１実施形態は障子２が横開きタイプなので、遊嵌支軸１０は、アーム保持器５のアーム支軸１２と同様にその軸心を鉛直方向へ向けるものとされる。
取付ブラケット２６については、遊嵌部１１をアーム保持器５の開度制限アーム１３に対して嵌合可能な配置にできる点（障子２の下框２ａに取付可能にする点）を満たせば、殊更、構造的に限定されるわけではない。本第１実施形態では板素材をＬ形に折り曲げたものを採用して、立ち上がり片２６ａに取付孔２７を設け、水平片２６ｂによって器具本体２５を支持するようにしている。
【００２３】
図５（ｂ）（ｃ）及び図６に示すように、遊嵌支軸１０は、その上部軸端が器具本体２５の底部を貫通して器具内へ入り込む配置として設けられており、この遊嵌支軸１０の下端部（器具本体２５の下方）に遊嵌部１１が保持されている。
遊嵌支軸１０には器具本体２５の器具内でナット等の抜け止め具２８が嵌め付けられることにより、器具本体２５に対する回転自在な状態が保持されると共に、器具本体２５からの脱落が防止されるようになっている。
【００２４】
本第１実施形態では遊嵌支軸１０と遊嵌部１１とが一体形成されて、これらが一緒に器具本体２５に対して回転自在とされる構造を示してある。しかしこれに限らず、遊嵌支軸１０と遊嵌部１１とを別体で形成してもよく、別体とする場合には遊嵌支軸１０と遊嵌部１１との相互間で回転自在にする構造を採用することもできる。
遊嵌部１１の保持高さは、アーム保持器５の開度制限アーム１３と同じ高さとなるようにするが、これに伴い、遊嵌部１１は障子２の下端より低くなる（図３参照）。ただ、障子２を開閉させるときも遊嵌部１１が障子枠４と接触干渉することはないので、遊嵌部１１における上記のような高さ方向の配置に関して何ら問題はない。
【００２５】
遊嵌部１１は開口２９を生じさせた環形状に形成されている。この開口２９内には、開度制限アーム１３が摺動自在となる状態で嵌合可能とされる。開度制限アーム１３は水平に設けられていることから、遊嵌部１１の開口２９は水平方向に貫通している。従って、遊嵌部１１が遊嵌支軸１０の軸心まわりで回転するときには環形状（開口２９）の向きが３６０°旋回することになる。
【００２６】
この遊嵌部１１の回転により、障子２を開閉させた際の開度制限アーム１３の水平揺動に合わせて開口２９が自在に旋回し、開度制限アーム１３との嵌合関係及び摺動関係を円滑に保持できるものである。
本第１実施形態では、アーム保持器５の開度制限アーム１３が断面長方形の帯条材により形成されたものとしてあることに伴い、遊嵌部１１の開口２９は、横長の長方形を基本形として形成されている。なお、開度制限アーム１３が丸棒材などにより形成されているのであれば、遊嵌部１１の開口２９も円形等とすればよい。
【００２７】
なお、本第１実施形態の遊嵌部１１では、開口２９の長辺中央部に上方へ凹んだ副開口３０が付加されることによって、開口２９が凸型の開口形状を呈したものとされている（図３参照）。この副開口３０の作用については後述する。
器具本体２５にはロック機構３２が内蔵されている（図５参照）。図７は、ロック機構３２を理解し易いように分解して示した斜視図である。この図７から明らかなように、ロック機構３２は、中空部を備えた筒状のストッパ軸３５に対して丸棒状のロック軸３６が挿通されることで二重軸状に構成される複合軸体３７を核にしたものである。
【００２８】
そして、このロック機構３２は、複合軸体３７のうち、ロック軸３６を動作させるためのロック操作部３８と、複合軸体３７のうち、ストッパ軸３５を動作させるための内部入力部３９及び外部入力部４０とを有している。
まず複合軸体３７について説明する。この複合軸体３７は、ベース板部４２と起立板部４３とを有してＬ型に形成された連動体４４に対して、ベース板部４２をストッパ軸３５が突き抜ける状態となるようにして、溶接などにより固着されたものとなっている。
【００２９】
連動体４４のベース板部４２は、内方側へ向けられる先端部が幅広に拡大されており、この先端部下面が内部入力部３９からの操作力を受ける「内操作カム面」として作用する。また連動体４４の起立板部４３には、外方側へ向けられる側面にカム片４５が背負わされており、このカム片４５の下面が外部入力部４０からの操作力を受ける「外操作カム面」として作用する。
【００３０】
ストッパ軸３５の中空部は、上部側に形成された大径部３５ａと下部側に形成された小径部３５ｂとが相互連通して成る段付き孔構造とされている。これに対してロック軸３６は、ストッパ軸３５の大径部３５ａに嵌合可能な同等径のスライドガイド部３６ａと、ストッパ軸３５の小径部３５ｂに嵌合可能な同等径の先端部３６ｂと、を有する段付き軸構造になっている。
【００３１】
このようなロック軸３６は、スライドガイド部３６ａがストッパ軸３５の大径部３５ａ内をガイドされつつ摺動することにより、先端部３６ｂがストッパ軸３５の小径部３５ｂから出たり入ったりするようになっている。
なお、スライドガイド部３６ａが大径部３５ａと小径部３５ｂとの間の段差部に係合することで、ロック軸３６はそれより下方への摺動ストロークが制限されることになる。このときロック軸３６の先端部３６ｂはストッパ軸３５の下端から下方へ突出するように設定されている。
【００３２】
一方で、スライドガイド部３６ａが大径部３５ａから上方脱出しない範囲でロック軸３６を引き上げることにより、ロック軸３６の先端部３６ｂをストッパ軸３５の下端から突出しない状態に収納することができるようになっている。
次にロック操作部３８について説明する。このロック操作部３８は、ロック軸３６に対し、スライドガイド部３６ａから先端部３６ｂとは軸方向の反対側（図７の上方）へ延びる操作杆部３６ｃが設けられていることにより構成されている。
【００３３】
操作杆部３６ｃは器具本体２５の上部を突き抜けて上方へ突出しており、器具本体２５を突き抜けた操作杆部３６ｃの上端部に、操作の容易さを考慮して円盤形の操作端４６が設けられている。
操作杆部３６ｃは、スライドガイド部３６ａと同径に形成することもできるが、ストッパ軸３５に対するロック軸３６の摺動抵抗を可及的に小さく抑える意味で、スライドガイド部３６ａよりも径小に形成するのが好ましい。
【００３４】
これらに加えて、本第１実施形態では、図５（ｂ）及び（ｃ）に示すように、アーム受け器３の遊嵌支軸１０を中空軸に形成してあると共に、この中空部が遊嵌部１１の副開口３０及び開口２９内へも連通するようにしてある。
そして、遊嵌支軸１０の中空部内に複合軸体３７を挿通させてある。すなわち、複合軸体３７のストッパ軸３５及びロック軸３６は、遊嵌支軸１０に対してそれぞれ同軸の関係を保持しつつ各別に軸方向移動（摺動）すると共に、ストッパ軸３５と遊嵌支軸１０との間が相対回転するようになっている。
【００３５】
またストッパ軸３５は、最も下降したときの軸下端が、遊嵌部１１の副開口３０内へは
突き出すが、開口２９内までには及ばない配置となるように設定してある。
このようなロック操作部３８では、操作端４６を引き上げ操作しない限り、ロック軸３６はストッパ軸３５内で下降した状態が保持されることになる。そのため、遊嵌部１１に嵌合された開度制限アーム１３（図６参照）に対して、その上面にロック軸３６の先端部３６ｂが乗る状態になる。
【００３６】
そして、遊嵌部１１内を開度制限アーム１３が摺動するとき（すなわち、障子２が開閉動作されたとき）には、ロック軸３６の先端部３６ｂに対して開度制限アーム１３に設けられたロック係合部１９が合致することがあり、この合致時にはロック軸３６の先端部３６ｂがロック係合部１９に係合する（嵌り込む）ようになる。
これにより、開度制限アーム１３は遊嵌部１１内を摺動することができなくなるので、障子２は開閉動しない状態にロックされる。このとき、障子２が少しだけ開放された状態となるように設定しておけばよい（１００ｍｍ程度の開度とするのが好適である）。
【００３７】
一方で、操作端４６を引き上げ操作してロック軸３６を上昇させると、ロック軸３６の先端部３６はストッパ軸３５の下端から突出しない状態に収納される。そのため、ロック軸３６の先端部３６ｂが開度制限アーム１３のロック係合部１９に係合していたときであっても、ロック係合部１９からロック軸３６の先端部３６ｂは確実に引き抜かれて非接触状態になる。
【００３８】
これにより、開度制限アーム１３は遊嵌部１１内を摺動自在な状態へと解放されることになり、障子２を自由に開閉させることができる。
しかし、前記したようにストッパ軸３５の軸下端は遊嵌部１１の副開口３０内へ突き出しているので、障子２をそれ以上、開かせようとしても、ストッパ軸３５の軸下端に開度制限アーム１３の抜け止め突起１８（図６参照）が係合して、開度制限アーム１３が遊嵌部１１から脱出することはない。
【００３９】
従って、ロック軸３６の先端部３６ｂと開度制限アーム１３のロック係合部１９との係合が解除されているとはいえ、障子２が過度に開度を広げるようにはならない。ましてや、障子２が全開にされることも決してない。
このように、ロック操作部３８は、ロック軸３６を遊嵌部１１に嵌合された開度制限アーム１３に対して係合状態にするか、又は非係合状態にするか（要するに、障子２を設定された小開度状態と全閉状態との間で開閉自在にするか、或いは設定された小開度状態にロックするか）について、切り替え可能なものとなっている。
【００４０】
なお、本第１実施形態では、ロック操作部３８による操作が軽快に行え、しかも繰り返し使用が確実に行えるようにするために、次の措置を採用した。
すなわち、図５（ｂ）及び（ｃ）に示すように、ロック軸３６には、操作杆部３６ｃ（図７参照）の部分に第１バネ４７を外挿してある。この第１バネ４７は、スライドガイド部３６ａ（図７参照）と器具本体２５の内部天井との上下間で弾発力を強めた状態に圧縮させてある。そのため、ロック軸３６は、そのスライドガイド部３６ａがストッパ軸３５の大径部３５ａと小径部３５ｂとの間の段差部に係合し、ロック軸３６の軸下端がストッパ軸３５の下端から突出する状態が付勢されるようになっている。
【００４１】
また遊嵌支軸１０には、器具本体２５内へ突き出した部分に第２バネ４８を外挿してある。この第２バネ４８は、器具本体２５の底部（遊嵌支軸１０の抜け止め具２８）と連動体４４のベース板部４２との上下間で弾発力を強めた状態に圧縮させてある。そのため、連動体４４は、ストッパ軸３５と共に押し上げ付勢されるようになっている。
次に、内部入力部３９について説明する。この内部入力部３９は、図７に示すように、ストッパ軸３５と一体に固着された連動体４４のベース板部４２に対し、その下面に前方カム５２が当接するように設けられていることにより構成されている。
【００４２】
前方カム５２は、９０°の回転により、連動体４４のベース板部４２を押し上げたり、押し上げ前の高さ位置に戻したりするように設定されている。連動体４４のベース板部４２を押し上げた際には、一緒に上昇するストッパ軸３５の軸下端が、遊嵌部１１内に嵌合した開度制限アーム１３の抜け止め突起１８（図６参照）と係合しない高さへと退避させることができる。これにより、開度制限アーム１３を遊嵌部１１から脱出させることがで
き、障子２を、小開度を超えて全開させることができる。
【００４３】
この前方カム５２には、障子２の内方側へ向けられるボス部５３が設けられており、このボス部５３に、操作ハンドル５４のハンドル軸先端部と係合する伝動孔５５が形成されている。
従って、伝動孔５５に操作ハンドル５４のハンドル軸先端部を係合させ、この操作ハンドル５４を回転操作することで、前方カム５２を回転させ、連動体４４と共にストッパ軸３５を上下動させることができる。
【００４４】
なお、このような障子２の全開は、障子２の外面の窓ふきやメンテナンスを行う際に必要とされるものであって、元来、日常的な使用を目的にしたものではない。そこで、本第１実施形態では、器具本体２５の内方を向く面に、必要に応じて簡単に剥ぎ取りできるようにした樹脂製の保護カバー５８を取り付け、操作ハンドル５４を覆ってある。
この保護カバー５８は、半透明や着色透明としておき、カバー内に操作ハンドル５４が格納されている状況を外から視認できるようにしておくのが好適である。
【００４５】
また、操作ハンドル５４の頭部面にも、伝動孔５５と同じ形状、大きさの第２伝動孔５９を設けておき、保護カバー５８にはこの第２伝動孔５９に対応する部分に切り欠きを形成させて、カバー外から第２伝動孔５９が露出するようにしてある。
これにより、第２伝動孔５９に対応した六角レンチなどの専用工具を所持する作業者のみが、内部入力部３９を操作できるようになる。しかも、いちいち保護カバー５８を剥ぎ取ったり取り外したりする必要がなく、迅速に操作が行えて至便となる。
【００４６】
このように、内部入力部３９は、ストッパ軸３５を、遊嵌部１１に嵌合された開度制限アーム１３の抜け止め具１８に係合させる状態（遊嵌部１１からの開度制限アーム１３の脱出を阻止する抜け止め状態）と、ストッパ軸３５を、遊嵌部１１に嵌合された開度制限アーム１３の抜け止め具１８に係合させない状態（遊嵌部１１から開度制限アーム１３の脱出を許容する解放状態）とを、切り替え可能なものとなっている。要するに、障子２の開放動作を、小開度までで制限するか或いは全開にさせるかの切り替えができる。
【００４７】
次に、外部入力部４０について説明する。この外部入力部４０は、ストッパ軸３５と一体に固着された連動体４４のカム片４５に対し、その下面に後方カム６０が当接するように設けられていることにより構成されている。
後方カム６０は、９０°の回転により、連動体４４のカム片４５を押し上げたり、押し上げ前の高さ位置に戻したりするように設定されている。カム片４５を押し上げた際には、連動体４４と一緒に上昇するストッパ軸３５の軸下端が、遊嵌部１１内に嵌合した開度制限アーム１３の抜け止め突起１８（図６参照）と係合しない高さへと退避させることができる。
【００４８】
すなわち、内部入力部３９の場合と同様に、開度制限アーム１３を遊嵌部１１から脱出させることができ、障子２を、小開度を超えて全開させることができる。
この後方カム６０でも、障子２の外方側へ向けられるボス部６１が設けられており、このボス部６１に、操作ハンドル６２のハンドル軸先端部と係合する伝動孔６３が形成されている。
【００４９】
従って、伝動孔６３に操作ハンドル６２のハンドル軸先端部を係合させ、この操作ハンドル６２を回転操作することで、障子２の外方側からの離隔操作によって後方カム６０を回転させ、連動体４４と共にストッパ軸３５を上下動させることができる。
なお、外部入力部４０は、障子２の外方（例えば建物の外）へ向けて設けられるものであって、障子２をよほど大きく開放させない限り、障子２の内方側からこの外部入力部４０を操作することはできない。
【００５０】
すなわち、この外部入力部４０を操作できるのは、非常時の救助作業者や、建物の外装工事業者、メンテナンス作業者など、障子２に対してその外方側から近寄ることができる者に限られる。そのため、本来ならば、操作ハンドル６２と後方カム６０とは一体的に連結する構造とすればよい。
しかしながら、外部入力部４０（後方カム６０）と操作ハンドル６２との間には障子２の厚さに相当する距離が介在する（図３参照）。そのため、このことに起因して、障子２
の形体や障子枠４の形体などの諸事情との関係で、後方カム６０の伝動孔６３と操作ハンドル６２のハンドル軸との軸心に上下方向や左右方向のズレが生じ、両者の軸心を一直線に連結できないような場合も、ごく稀ではあるが発生するおそれがある。
【００５１】
そこで、このような場合に対処するため、後方カム６０の伝動孔６３を正六角形などの角穴とし、操作ハンドル６２のハンドル軸先端部には、伝動孔６３（角穴）内に生じている周方向の内隅部に係合して相対回転不能に嵌合する継ぎ手端６６を設けるようにするのが好適である。
この場合、継ぎ手端６６は、ハンドル軸の先端部からその直径に略等しい長さ位置に軸周りを一周するくびれを設けて、玉形に形成されたものとしておく。このようにすることで、外部入力部４０の伝動孔６３（角穴）内での継ぎ手端６６の連結角度を自在に変更できることになる、そのため、後方カム６０の伝動孔６３と操作ハンドル６２のハンドル軸との軸心にズレが生じていた場合でも、両者の連結が可能となる。
【００５２】
以上、詳述したところから明らかなように、本発明装置１では、アーム受け器３が備える遊嵌部１１を回転自在に保持させてある。そのため、この遊嵌部１１の回転により、障子２を開閉させた際の開度制限アーム１３の水平揺動に合わせて開口２９が自在に旋回し、開度制限アーム１３との嵌合関係及び摺動関係を円滑に保持できるものであり、また同時に、開度制限アーム１３についてはシングルアームとして簡潔構造を採用できる（複数本の折れ曲がりリンク構造にする必要がない）ものである。
【００５３】
要するに、これらによって本発明装置１は、内開き窓などの内開きタイプとされた障子２への実施が可能になっている。
また、アーム受け器３に対してロック操作部３８を設けて、開度制限アーム１３のロック係合部１９に対するロック軸３６の係合状態と非係合状態とを切り替え操作できるようにしている。このようなことから、本発明装置１は、内開き窓などの内開きタイプとされた障子２へ実施した際においても、内開きタイプの障子２を小さな開き角度で停止保持させたり、内側からの操作や外側からの操作によって簡単に全開させたりできる。
【００５４】
なお、障子２を全開させるに際して、内部入力部３９の操作によりストッパ軸３５を軸移動させるときと、外部入力部４０の操作によりストッパ軸３５を軸移動させるときとでは、連動体４４を前方カム５２で動作させるか又は後方カム６０で動作させるかの選択になっている。
そのため、本発明装置１でも、先願調整器（特許文献１のもの）と同様に、内部入力部３９と外部入力部４０との間で伝動系の縁が切れた構成であり、いずれの操作も軽快に行えるという利点がある。
【００５５】
ところで、本発明は、前記実施形態に限定されるものではなく、実施の形態に応じて適宜変更可能である。
例えば、本発明装置１は、図８に示すように、開度制限アーム１３の揺動が図４の場合とは左右反対になるようにしてアーム保持器５を配置することも可能である。
また本発明装置１は、遊嵌支軸１０及びアーム支軸１２が水平方向に向く状態として障子２と障子枠４との間に設けることで、図９に示すように、開度制限アーム１３を縦方向面に沿って揺動させること（いわゆる縦使いにすること）も可能である。この場合、アーム保持器５ではアーム支軸１２に対する開度制限アーム１３の揺れ角（支軸とアームとの交差角の変位量）にある程度のゆとりを持たせるようにし、またアーム受け器３では遊嵌部１１と開度制限アーム１３との嵌め合い関係にある程度のゆとりを持たせるようにするのが好適である。
【００５６】
開度制限アーム１３において、ロック係合部１９は２個以上設けてもよい。このようにすることで、障子２をロックする小開度位置を複数箇所に設定できることになる。
内部入力部３９や外部入力部４０によるストッパ軸３５の軸移動構造（障子２を全開させるために採用する伝動構造）は、カム機構を採用するものに限定されるものではなく、例えば歯車機構（ラック歯を用いるものを含む）やリンク機構などを採用してもよい。
【００５７】
また、内部入力部３９と外部入力部４０との伝動系を縁切りする点についても、限定されるわけではない。
【符号の説明】
【００５８】
１  開度設定装置（本発明装置）
２  障子
２ａ  下框
３  アーム受け器
４  障子枠
４ａ  下枠
４ｂ  レール桟
５  アーム保持器
１０  遊嵌支軸
１１  遊嵌部
１２  アーム支軸
１３  開度制限アーム
１５  蝶番
１７  取付ブラケット
１８  抜け止め突起
１９  ロック係合部
２５  器具本体
２６  取付ブラケット
２６ａ  立ち上がり片
２６ｂ  水平片
２７  取付孔
２８  抜け止め具
２９  開口
３０  副開口
３２  ロック機構
３５  ストッパ軸
３５ａ  大径部
３５ｂ  小径部
３６  ロック軸
３６ａ スライドガイド部
３６ｂ  先端部
３６ｃ  操作杆部
３７  複合軸体
３８  ロック操作部
３９  内部入力部
４０  外部入力部
４２  ベース板部
４３  起立板部
４４  連動体
４５  カム片
４６  操作端
４７  第１バネ
４８  第２バネ
５２  前方カム
５３  ボス部
５４  操作ハンドル
５５  伝動孔
５８  保護カバー
５９  第２伝動孔
６０  後方カム
６１  ボス部
６２  操作ハンドル
６３  伝動孔
６６  継ぎ手端
【手続補正２】
【補正対象書類名】特許請求の範囲
【補正対象項目名】全文
【補正方法】変更
【補正の内容】
【特許請求の範囲】
【請求項１】
片持ち状態で内開き方向に開閉揺動自在に保持される障子に対してその内方側へ取り付けるアーム受け器と、
前記障子を取り囲んでその開閉揺動を保持する障子枠に対して前記アーム受け器に関連させた配置で取り付けるアーム保持器と、を有し、
前記アーム保持器には、アーム支軸と、このアーム支軸を支点として揺動自在に保持される開度制限アームと、が設けられ、
前記アーム受け器には、前記アーム支軸に軸心を平行させた遊嵌支軸と、前記開度制限アームに摺動自在に外嵌する環形状に形成され且つこの環形状の向きが前記遊嵌支軸の軸心まわりで回転自在に保持される遊嵌部と、が設けられ、
前記アーム受け器には、
前記遊嵌支軸の軸方向に沿って移動自在に保持されるロック軸と、
前記遊嵌部に嵌合された前記開度制限アームに対して前記ロック軸を係合状態又は非係合状態に軸移動させるロック操作部と、を有するロック機構が設けられ、
前記遊嵌支軸は中空軸に形成されており、
前記遊嵌支軸の中空部に前記ロック軸が同軸で挿通されて摺動自在となっており、
前記遊嵌支軸の中空部には中空のストッパ軸が挿通されて当該ストッパ軸の中空部に前記ロック軸が挿通されることで前記遊嵌支軸、前記ストッパ軸及び前記ロック軸が同軸に配置されており、
前記ストッパ軸は前記遊嵌支軸内を摺動することで前記遊嵌部に対する前記開度制限アームの脱出を阻止する抜け止め状態と脱出を許容する解放状態とに切り替え可能になっていることを特徴とする内開き障子の開度設定装置。
【請求項２】
前記ロック機構には、
前記障子の外方側から前記ロック軸の軸移動を離隔操作可能にするための外部入力部が設けられていると共に、
前記外部入力部に接続可能とされる操作ハンドルが付属されており、
前記外部入力部には角穴が設けられており、
前記操作ハンドルの伝動軸には、前記外部入力部の角穴内に生じている周方向の内隅部に係合して相対回転不能に嵌合する継ぎ手端が設けられており、
前記継ぎ手端は前記外部入力部の角穴内で連結角度を変更自在とする玉形に形成されている
ことを特徴とする請求項１に記載の内開き障子の開度設定装置。